(57)【要約】【課題】棒状化粧料を保持した棒状化粧料容器を、非使用時又は使用時に合わせて全長を伸縮させて適正な長さとし、棒状化粧料の正確な塗布作業をできるようにする。【解決手段】先筒４と軸筒１３とからなる化粧料容器本体３内で、軸筒１３の回転により進退する回転筒２３と、該回転筒２３と棒状化粧料収容体６７の芯筒６８とを、先筒４内周面の案内溝９に係止突起３８を遊嵌する回止筒３３を介して一体とし、該回転筒２３と芯チャック７２とを、ラチェット機構４６を介したネジ軸４１並びに該ネジ軸４１に螺合するスリーブ６０を介して一体にするので、軸筒の回転で先筒の開口部より棒状化粧料収容体は出没し、該芯筒より棒状化粧料は突出するので、棒状化粧料を芯筒先端より突出させたまま化粧料容器本体内に没入させてのキャップ装着が可能となり、容器全長も併せて伸縮することができる。【選択図】図３
2008212613.tif 000002
【特許請求の範囲】
【請求項１】
軸筒と先筒とからなる化粧料容器本体と、該先筒の開口部に対して脱着自在となるキャップから構成され、
該化粧料容器本体内には、棒状化粧料を突出可能に収容する棒状化粧料収容体、該棒状化粧料収容体を先筒の開口部より出没自在とする収容体出没機構、及び棒状化粧料を前記棒状化粧料収容体より突出させてなる棒状化粧料突出機構を内装し、
該化粧料容器本体は、離脱不能であって、且つ相互に回転可能となる回転嵌合部を持って一体となる先筒と軸筒からなり、該先筒の後端側内周面には前後方向に案内溝を溝設するものであり、
該棒状化粧料収容体は、筒状の芯筒と、該芯筒内で棒状化粧料を保持する芯チャックからなり、
収容体出没機構はネジ筒と回転筒と回止筒とからなり、該ネジ筒は内周面に螺旋状のネジ溝をネジ筒の先端縁に至らない範囲で刻設し、該回転筒は、前記ネジ溝に遊嵌する係合突起を外周に設けるとともに、該係合突起の前方には回止筒の後端縁を係止する鍔部を周設し、又、その内周面にはラチェット機構を構成する可動カムのローレットと噛合するローレットを設けてなり、該回止筒は、先筒の内周面に前後方向に溝設する案内溝に遊嵌、案内される係止突起を外周面に突設するものであって、前記回転筒と回止筒とは離脱不能且つ相互に個別回転可能に結合され、
該棒状化粧料突出機構は、ネジ軸とラチェット機構とスリーブとからなり、該ネジ軸はその外周面に雄ネジ部を螺設してなり、該ラチェット機構は固定カムと可動カム及び回転筒内において可動カムを固定カム側へ押勢するスプリングとからなって、可動カムの回転方向を、収容体出没機構によって棒状化粧料収容体を先筒の開口部より突出させるために必要となる軸筒の回転方向のみに規制し、該スリーブは、その内周面に前記ネジ軸の外周面に螺設された雄ネジ部に螺合する雌ネジ部を配設してなり、
軸筒と離脱不能且つ相互に個別回転不能に結合されたネジ筒のネジ溝に回転筒の係合突起を遊嵌して一体とした上で、該回転筒とネジ軸とを離脱不能且つ相互に個別回転不能に結合するとともに、該回転筒の内部に設けたローレットに可動カムの外周に存するローレットを噛合させ、回転筒内に設けたスプリングの弾撥力によって、回止筒と係合して回転不能である固定カムに対して可動カムを、棒状化粧料収容体を先筒の開口部より突出させるために必要となる軸筒の回転方向と同方向へのみ回転可能に規制し、又、該回転筒と離脱不能且つ相互に個別回転可能に結合された回止筒は、その前方側において前記芯筒の後端側と離脱不能且つ相互に個別回転不能に結合され、更に、スリーブの先端側においてスリーブと芯チャックとを離脱不能且つ相互に個別回転不能となるよう一体とすることにより、軸筒の回転によるネジ筒の回転によって回転筒を軸筒内において前後方向に摺動可能とし、当該回転筒の摺動によって棒状化粧料収容体を先筒の開口部より出没自在とするとともに、該棒状化粧料収容体が先筒の開口部より突出した状態で更に同方向へ軸筒を回転させることによって、回転筒の回転によるネジ軸の回転によってスリーブを前方へ摺動させて、該スリーブと一体となる芯チャックの前進によって棒状化粧料を芯筒より突出させてなることを特徴とする棒状化粧料容器。
【発明の詳細な説明】
【技術分野】
【０００１】  本願発明は、例えばアイブロー、アイライナー、アイシャドー又はリップライナー等の細径化され、且つ非常に柔軟な棒状化粧料を出没自在に収容してなる棒状化粧料容器に関するものである。
【背景技術】
【０００２】  従来より、例えば上記各種棒状化粧料を出没自在に軸筒内に収容してなる棒状化粧料容器は、棒状化粧料を固持する昇降筒をネジ機構を利用して軸筒内で昇降させることによって、該昇降筒に固持される棒状化粧料を軸筒内外に出没させるものが一般的である。【０００３】  しかしながら、リップライナー等の棒状化粧料は、細部まで正確に塗布可能なように細径化されており、近年流行の艶のあるリップグロスに合わせて化粧料が処方されているので、棒状の化粧料自体が非常に柔軟なものとなっている。そのため、該棒状化粧料容器の製造にあたっては、芯チャックを内装した棒状化粧料収容体に溶融した化粧料を直接充填して固化させている。従って、一旦棒状化粧料収容体より突出させた棒状化粧料を再度棒状化粧料収容体内に没入させようとすると、その柔軟さ故に該棒状化粧料が棒状化粧料収容体の内壁面と擦れて破断等を起こすおそれがある。すなわち、このような棒状化粧料では、一旦棒状化粧料収容体から棒状化粧料を突出させた後は、該棒状化粧料を棒状化粧料収容体内に没入させることを予定しておらず、使用後はそのままキャップを装着するものとしている。ところが、棒状化粧料収容体の先端より棒状化粧料を突出させたままの状態であると、その突出長によっては、キャップを装着した際にキャップの内側がその突出した棒状化粧料の先端に当接して、キャップを確実に装着することができず、また無理矢理キャップを装着してしまうと該棒状化粧料の先端がキャップにより潰れてしまうことで、キャップが固着し、また棒状化粧料が漏出して他所を汚損するおそれがある。【０００４】  更に、棒状化粧料容器は通常小さな鞄に入れて持ち運ぶので、その全長は短いほど有利であるが、使用時おいて棒状化粧料容器の全長があまりに短いと指により確実に保持できず、正確な塗布作業を行えないものである。
【特許文献１】特開平８−３５３号
【発明の開示】
【発明が解決しようとする課題】
【０００５】  解決しようとする問題点は、非常に柔軟な棒状化粧料を保持した棒状化粧料容器においても、非使用時においてはキャップを確実に装着することができるようにするとともに、その容器自体の全長を短縮化する一方、使用時においてはその全長を適正な長さとして、棒状化粧料の正確な塗布作業ができるようにするものである。
【課題を解決するための手段】
【０００６】  そのために、棒状化粧料容器は、棒状化粧料を突出可能に保持する棒状化粧料収容体自体を出没自在とするとともに、更に該棒状化粧料収容体に保持される棒状化粧料を突出可能にしてなるものである。【０００７】  そこで、軸筒と先筒とからなる化粧料容器本体と、該先筒の開口部に対して脱着自在となるキャップから構成され、
該化粧料容器本体内には、棒状化粧料を突出可能に収容する棒状化粧料収容体、該棒状化粧料収容体を先筒の開口部より出没自在とする収容体出没機構、及び棒状化粧料を前記棒状化粧料収容体より突出させてなる棒状化粧料突出機構を内装し、
該化粧料容器本体は、離脱不能であって且つ相互に回転可能となる回転嵌合部を持って一体となる先筒と軸筒からなり、該先筒の後端側内周面には前後方向に案内溝を溝設するものであり、
該棒状化粧料収容体は、筒状の芯筒と、該芯筒内で棒状化粧料を保持する芯チャックからなり、
収容体出没機構はネジ筒と回転筒と回止筒とからなり、該ネジ筒は内周面に螺旋状のネジ溝をネジ筒の先端縁に至らない範囲で刻設し、該回転筒は、前記ネジ溝に遊嵌する係合突起を外周に設けるとともに、該係合突起の前方には回止筒の後端縁を係止する鍔部を周設し、又、その内周面にはラチェット機構を構成する可動カムのローレットと噛合するローレットを設けてなり、該回止筒は、先筒の内周面に前後方向に溝設する案内溝に遊嵌、案内される係止突起を外周面に突設するものであって、前記回転筒と回止筒とは離脱不能且つ相互に個別回転可能に結合され、
該棒状化粧料突出機構は、ネジ軸とラチェット機構とスリーブとからなり、該ネジ軸はその外周面に雄ネジ部を螺設してなり、該ラチェット機構は固定カムと可動カム及び回転筒内において可動カムを固定カム側へ押勢するスプリングとからなって、可動カムの回転方向を、収容体出没機構によって棒状化粧料収容体を先筒の開口部より突出させるために必要となる軸筒の回転方向のみに規制し、該スリーブは、その内周面に前記ネジ軸の外周面に螺設された雄ネジ部に螺合する雌ネジ部を配設してなり、
軸筒と離脱不能且つ相互に個別回転不能に結合されたネジ筒のネジ溝に回転筒の係合突起を遊嵌して一体とした上で、該回転筒とネジ軸とを離脱不能且つ相互に個別回転不能に結合するとともに、該回転筒の内部に設けたローレットに可動カムの外周に存するローレットを噛合させ、回転筒内に設けたスプリングの弾撥力によって、回止筒と係合して回転不能である固定カムに対して可動カムを、棒状化粧料収容体を先筒の開口部より突出させるために必要となる軸筒の回転方向と同方向へのみ回転可能に規制し、又、該回転筒と離脱不能且つ相互に個別回転可能に結合された回止筒は、その前方側において前記芯筒の後端側と離脱不能且つ相互に個別回転不能に結合され、更に、スリーブの先端側においてスリーブと芯チャックとを離脱不能且つ相互に個別回転不能となるよう一体とすることにより、軸筒の回転によるネジ筒の回転によって回転筒を軸筒内において前後方向に摺動可能とし、当該回転筒の摺動によって棒状化粧料収容体を先筒の開口部より出没自在とするとともに、該棒状化粧料収容体が先筒の開口部より突出した状態で更に同方向へ軸筒を回転させることによって、回転筒の回転によるネジ軸の回転によってスリーブを前方へ摺動させて、該スリーブと一体となる芯チャックの前進によって棒状化粧料を芯筒より突出させてなるものである。【０００８】  そのため、使用に際しては、先筒を持って軸筒を回転させると、該軸筒とその内部で一体に共回りするネジ筒の回転により回転筒が化粧料容器本体内を前進するので、先筒の内周面の案内溝に係止突起を遊嵌するとともに、回転筒と離脱不能に結合された回止筒、及び該回止筒と離脱不能に結合された芯筒が前進することとなる。又、同時に回転筒と離脱不能に結合されたネジ軸も前進し、該ネジ軸と螺合して一体となるスリーブ並びに、該スリーブと一体となる芯チャックもそれぞれ同時に前進することとなる。その結果、棒状化粧料収容体全体が同方向へ前進することから、先軸の開口部より棒状化粧料収容体が突出する。そして、該回転筒の係合突起がネジ筒のネジ溝先端に至ると、軸筒と回転筒とは共回りすることとなるが、その際、回転筒と一体となる回止筒は先筒の案内溝に遊嵌していることから回転せず、回転筒のみが回転することとなる。そこで、更に軸筒を回転させると、該回転筒の回転はネジ軸に伝達される。即ち、ネジ軸と回転軸とは一体に共回りするものである。従って、ネジ軸が回転することで、該ネジ軸の外周面に螺設される雄ネジ部と螺合する雌ネジ部をその内周面に配設するスリーブは前進する。その結果、スリーブと一体となっている芯筒内の芯チャックが前進し、棒状化粧料は芯筒の開口部より突出するものとなる。【０００９】  また、使用後は、軸筒を逆回転させることで回転筒はネジ筒のネジ溝に沿って後退するものとなり、該回転筒と離脱不能に結合する回止筒、更に該回止筒と離脱不能に結合する棒状化粧料収容体の芯筒、並びに該回転筒と離脱不能に結合しているネジ軸、更には棒状化粧料収容体の芯チャックと一体となり、該ネジ軸と螺合して一体となるスリーブもそれぞれ後退することとなるので、棒状化粧料収容体は化粧料容器本体内に没入するものとなる。なお、回転筒とネジ軸との間にはネジ��の回転を一方向にのみ許容するラチェット機構が介在しているので、過剰に軸筒を逆回転させようとしてもネジ軸は回転することはないので、棒状化粧料を保持する芯チャックと一体となるスリーブは後退することはなく、棒状化粧料が芯チャックと共に芯筒内に後退することでの破損を防止できる。
【発明の効果】
【００１０】  本願発明は、細径化され、且つ非常に柔軟な棒状化粧料を棒状化粧料容器より円滑に出没させるとともに、その塗布も確実に行うことができるという優れた効果を有する。
【実施例】
【００１１】  図１乃至図７に示す１は、本願発明の実施例における使い捨ての棒状化粧料容器である。該棒状化粧料容器１は、先筒４と該先筒４に対して回転自在に取り付けられる軸筒１３とからなる化粧料容器本体３と、該化粧料容器本体３の先筒４前端の開口部５に対して脱着自在となるキャップ２とから構成されるものである。（なお、本明細書においては、化粧料容器本体３の先筒４の開口部５方向を前もしくは先、軸筒１３の方向を後として方向を指示する。）【００１２】  該先筒４は、外周面に径外方向に突出する係止縁６を略中央に周設すると共に、その後端近傍外周には，軸筒１３（後述する。）の内周面略中央に配設する係止凸部１５と嵌合して、離脱不能であって且つ相互に回転可能となる回転嵌合部１００を形成する係止凹部７が周設され、さらに該先筒４の内周面には、回止筒３３（後述する。）の外周面に突設する係止突起３８を先筒４の前後方向に摺動自在に遊嵌してなる案内溝９が、後端縁８より前方に向かって溝設されている。また、該係止突起３８からそれぞれ９０度回転した位置に，摩擦弾性体１０が対向して配設されている。そして該摩擦弾性体１０は，軸筒１３側へ弾性をもって拡開するように形成される弾性片１１と，該弾性片１１の表面に，軸筒１３の内周面１４に当接するように一体に突設された摩擦突起１２からなるものである。そのため、先筒４の摩擦弾性体１０の摩擦突起１２が常時確実に軸筒１３の内周面１４に当接するので、軸筒１３を回転させると、軸筒１３の内周面１４と先筒４の摩擦弾性体１０の摩擦突起１２との間で摩擦が生じ、節度ある操作感が生まれるようになる。
一方、軸筒１３は、一端を封止した略円筒形状であって、その内周面１４略中央では、上述のように先筒４の外周面の係止凹部７と嵌合して、離脱不能であって且つ相互に回転可能となる回転嵌合部１００を形成する係止凸部１５が突設され、又，後述するように，その内底部近傍の内壁面には，内装するネジ筒１８（後述する。）の外周面の係止凹部２１と嵌合して、離脱不能であって且つ同期して回転する（すなわち相互に個別回転不能となる）固定嵌合部１０１を形成する係止凸部１６が形成されるとともに、ネジ筒１８のローレット２２と噛合して共回りしてなる固定噛合部１０２を形成するローレット１７が配設されているものである。
以上より、前記化粧料容器本体３をなす先筒４と軸筒１３とは、先筒４の外周面に周設される係止縁６を軸筒１３の前端縁に、先筒４の後端縁８を軸筒１３の内周面に周設した段部１４’にそれぞれ係止するとともに、先筒４の外周面の係止凹部７と軸筒１３の内周面１４の略中央の係止凸部１５とを嵌合させることで、離脱不能であって且つ相互に回転可能となる回転嵌合部１００を形成して一体となるものである。【００１３】  そして、上記先筒４と軸筒１３からなる化粧料容器本体３内には、棒状化粧料７５を突出可能に収容する棒状化粧料収容体６７を、軸筒１３の回転により先筒４の開口部５より出没させる収容体出没機構イ、及び軸筒１３の回転により棒状化粧料収容体６７内に収容される棒状化粧料７５を該棒状化粧料収容体６７の芯筒６８の開口部６８’より突出させてなる棒状化粧料突出機構ロを内装するものである。【００１４】  上記収容体出没機構イは、軸筒１３内において、内周面にネジ溝１９を刻設するネジ筒１８と、該ネジ筒１８のネジ溝１９に係合する係合突起２５を対向するように後端に配置する回転筒２３と、外周面に先筒４の内周面の案内溝９に遊嵌する係止突起３８を突設する回止筒３３とからなるものである。【００１５】  ここで該ネジ筒１８は、その内周面の対向する位置において２条の左螺旋状（後方側から見て）のネジ溝１９が刻設されている。そしてネジ溝１９の後端側はネジ筒１８の後端縁に達し、先端側はネジ筒１８の先端縁には達していないものの、各ネジ溝１９の後端と先端とは１８０度回転した位置に設けられる。その上、その先端側終端には、その螺旋の進行方向側に向かって円周方向に沿って切り欠き溝２０を溝設するものである。又、ネジ筒１８の外周面においては，軸筒１３の後端側の内周面１４に周設する係止凸部１６と嵌合して、離脱不能であって且つ同期して回転する（すなわち相互に個別回転不能）固定嵌合部１０１を形成してなる係止凹部２１と、軸筒１３の更に後端側の内周面１４に配設されるローレット１７と噛合して共回りする固定噛合部１０２を形成してなるローレット２２を，それぞれ配設してなるものである。
そして該回転筒２３は径小部２４と径大部２６とからなり、該径小部２４では、その後端縁にネジ筒１８の内周面に刻設されるネジ溝１９に係合する係合突起２５が対向するように配設される。また、該径大部２６では、その外周面後端において、径外方向に突出し、回止筒３３の後端縁３４を係止する鍔部２７を周設するとともに、回止筒３３の内周面と当接するＯリング２９を着装する係止溝２８を円周方向に溝設し、更に回止筒３３の後端近傍の内周面に設けられた係止凹部４０と嵌合して、離脱不能であって且つ相互に回転可能となる回転嵌合部１０３を形成する係止凸部３０を配設するものである。
また、径大部２６内部にはネジ軸４１（後述する。）の係止凸部４３と嵌合して、離脱不能であって且つ同期して回転する（すなわち相互に個別回転不能）固定嵌合部１０４を形成する係止凹部３１が配設されるとともに、該径大部２６の前端縁内周面にはラチェット機構４６（後述する。）を構成する可動カム４９の外周面に配設するローレット５０と噛合して一体に共回りする固定噛合部１０５を形成するローレット３２が配設されている。
そのため、該ネジ筒１８のネジ溝１９に係合する係合突起２５を有する回転筒２３は、軸筒１３を右回転させることによってネジ筒１８のネジ溝１９の傾斜面１９ａに案内されて前進する。そして、軸筒１３を約３分の２回転させると、回転筒２３の係合突起２５が該ネジ溝１９の先端に至ることから、それ以上の軸筒１３の回転によっても回転筒２３はそれ以上前進せず、逆に、ネジ溝１９に設けられた切り欠き溝２０に嵌合して固持されるものとなる。その結果、軸筒１３を更に回転させることで棒状化粧料突出機構ロを作動させることができる。また、先筒４の開口部５より突出している棒状化粧料収容体６７が先筒４内方向へ押勢されても、回転筒２３の係合突起２５とネジ溝１９の切り欠き溝２０とが嵌合しているので、回転筒２３の係合突起２５がネジ筒１８のネジ溝１９に沿って逆回転して先筒４内に没入することを防止できるものとなる（図６参照）。
その上、回止筒３３は、略円筒状であって、その後端縁３４は回転筒２３の鍔部２７に当接し、前端縁３５は芯筒６８の内周面に突設される係止周縁６９の後面に当接している。そして該回止筒３３は、その前端縁３５近傍の外周面において芯筒６８の内周面の係止凹部７１と嵌合して、離脱不能であって且つ同期して回転する（すなわち相互に個別回転不能）固定嵌合部１０６を形成する係止凸部３６及び、該芯筒６８の後端内周面に配設するローレット７０と噛合して一体に共回りする固定噛合部１０７を形成するローレット３７を配設するとともに、先筒４の内周面に軸方向に刻設される案内溝９に遊嵌する係止突起３８が突設されている。また回止筒３３の後端側内周面においては、後述するラチェット機構４６をなす固定カム４７の基部４７ａ側面に形成する凹凸部５１に係合して該固定カム４７を固持してなる凹凸部３９を配設するとともに、回転筒２３の径大部２６の外周面に突設する係止凸部３０と、離脱不能であって且つ相互に回転可能となる回転嵌合部１０３を形成する係止凹部４０を、更にその後端側に配設してなるものである。
以上より、収容体出没機構イをなすネジ筒１８、回転筒２３及び回止筒３３は次のようにして一体となる。すなわち、ネジ筒１８と回転筒２３とは、ネジ筒１８の内周面に刻設されるネジ溝１９と回転筒２３の径小部２４の係合突起２５との遊嵌により一体となる。そして、回転筒２３と回止筒３３とは、回転筒２３の径大部２６の外周面に突設する係止凸部３０と回止筒３３の内周面に配設する係止凹部４０とから形成される、離脱不能であって且つ相互に回転可能となる回転嵌合部１０３により一体となるものである。【００１６】  一方、前記棒状化粧料突出機構ロは、前方側外周面に雄ネジ部４２を螺設するネジ軸４１と、回転方向を一方向に規制し、固定カム４７と可動カム４９とからなるラチェット機構４６と、該ネジ軸４１の雄ネジ部４２と螺合する雌ネジ部６１をその後端内周に配設するスリーブ６０とともに、更に該スリーブ６０と棒状化粧料収容体６７の芯チャック７２とを一体に連結するジョイント６３からなるものである。【００１７】  ここで該ネジ軸４１は、その前方側外周面に雄ネジ部４２を螺設するとともに、後端近傍の外周には、回転筒２３の内周面の係止凹部３１と嵌合して、離脱不能であって且つ同期して回転する（すなわち相互に個別回転不能）固定嵌合部１０４を形成する係止凸部４３を突設している。そして、回転筒２３の前端側内周面に配設されるラチェット機構４６（後述する。）の可動カム４９の内周面のローレット５９と噛合して一体に共回りする固定噛合部１０８を形成するローレット４４、及び径外方向に突出して、スリーブ６０（後述する。）の後端縁を係止する係止鍔部４５を周設してなるものである。
一方、該ラチェット機構４６は、スリーブ６０（後述する。）の後端縁に当接し、回止筒３３の内周面に固持される固定カム４７と、回転筒２３の径大部２６内において該回転筒２３との間でスプリング４８を保持すると共に、該回転筒２３の径大部２６内のローレット３２と噛合して一体に共回りする固定噛合部１０５を形成するローレット５０を外周面に配設する可動カム４９から構成される。そして、固定カム４７は中空円板状の基部４７ａ側面に凹凸部５１が形成されており、回止筒３３の内周面に形成する凹凸部３９と係合することによって、固定カム４７が回止筒３３内に固持される。更に該基部４７ａの後方側の面には、該基部４７ａを後方側から見た際の軸筒１３の回転方向（本願発明の実施例では右方向である。）に向くとともに、後方側に向けて立ち上がる斜面５３とその斜面５３に連続する垂直面５４からなるラチェット歯５２を円周方向に複数配置してなるものである。また可動カム４９は、略円筒形状であって、後端部には回転筒２３の径大部２６内壁との間でスプリング４８を保持する段部５５を形成し、前端部には固定カム４７のラチェット歯５２の斜面５３に密着する斜面５７とその斜面５７に連続する垂直面５８からなるラチェット歯５６を円周方向に複数配置してなるものである。その上、その内周面にはネジ軸４１のローレット４４と噛合して一体に共回りする固定噛合部１０８を形成するローレット５９が配設されている。
更にスリーブ６０は円筒状であって、その後端縁はネジ軸４１の係止鍔部４５及びラチェット機構４６の固定カム４７と当接し、後端の内周面にはネジ軸４１の雄ネジ部４２と螺合する雌ネジ部６１を配設するともに、その前端縁近傍には、棒状化粧料収容体６７の芯チャック７２を一体に連結するジョイント６３（後述する。）の係止部６４が弾性を以て嵌着する係止孔６２が穿設されている。
そしてジョイント６３は、後端側には上記スリーブ６０の係止孔６２に弾性を以て嵌着する係止部６４が、又、前端側には棒状化粧料収容体６７の芯チャック７２の係止縁部７４の後面より当接する支持鍔６５と、該係止縁部７４に対して底部の貫通孔７３を通して弾性を以て係止する係止鈎部６６が形成されている。
以上より、ネジ軸４１、ラチェット機構４６、スリーブ６０、及びジョイント６３は、次のようにして一体となる。即ち、ネジ軸４１とラチェット機構４６とは、ラチェット機構４６をなす可動カム４９の内周面に配設するローレット５９とネジ軸４１のローレット４４とが噛合して形成される固定噛合部１０８によって、又、ネジ軸４１とスリーブ６０とは、ネジ軸４１の外周面に螺設される雄ネジ部４２とスリーブ６０の内周面に配設される雌ネジ部６１との螺合によって、更にスリーブ６０とジョイント６３とは、スリーブ６０の前端縁近傍に穿設される係止孔６２に対するジョイント６３の係止部６４の嵌着によって、各々一体となる。なお、前述したように回転筒２３とネジ軸４１とは、ネジ軸４１の後端側において、ネジ軸４１外周面の係止凸部４３と回転筒２３内周面の係止凹部３１により形成される、離脱不能であって且つ同期して回転する（すなわち個別回転不能）固定嵌合部１０４により一体となっている。【００１８】  ところで、棒状化粧料収容体６７は、芯筒６８及び芯チャック７２からなるものである。
ここで該芯筒６８はその後端側に、棒状化粧料７５を保持する筒状の芯チャック７２を保持する係止周縁６９を径内方向に突設するとともに、その後端内周には、回止筒３３の前端縁近傍の外周に設けられたローレット３７に対して一体に噛合して共回りする固定噛合部１０７を形成するローレット７０が設けられるとともに、該回止筒３３の先端側外周に設けられた係止凸部３６に嵌合して、離脱不能であって且つ同期して回転する（すなわち相互に個別回転不能）固定嵌合部１０６を形成する係止凹部７１が配設されている。
そして、芯チャック７２は、その底部にジョイント６３の係止鈎部６６が係合する係止縁部７４を周囲に形成するように貫通孔７３が穿設されている。
以上より、芯筒６８と芯チャック７２とは、該芯筒６８内の係止周縁６９に芯チャック７２が係止するように内装することにより、芯チャック７２が芯筒６８内において摺動自在に保持されてなるものである。【００１９】  以上の結果、図３に示すように、本願発明の実施例における棒状化粧料容器１を構成する化粧料容器本体３、棒状化粧料収容体６７、収容体出没機構イ、棒状化粧料突出機構ロは、次のように一体となる。即ち、第１に、化粧料容器本体３と収容体出没機構イとは、化粧料容器本体３の軸筒１３の内底部において、該化粧料容器本体３の軸筒１３と収容体出没機構イのネジ筒１８とが、離脱不能であって且つ同期して回転する（すなわち相互に個別回転不能）固定嵌合部１０１と、互いに噛合して共回りする固定噛合部１０２とによって一体となる。第２に、収容体出没機構イと棒状化粧料突出機構ロとは、回転筒２３の内周面において配設される係止凹部３１とネジ軸４１の外周面に突設する係止凸部４３とが嵌合して形成する、離脱不能であって且つ同期して回転する（すなわち相互に個別回転不能）固定嵌合部１０４と、回転筒２３の径大部２６内のローレット３２とラチェット機構４６の可動カム４９の外周面のローレット５０との噛合により共回りする固定噛合部１０５と、回止筒３３とラチェット機構４６の固定カム４７との間の、回止筒３３の内周面に形成する凹凸部３９と固定カム４７の円板状の基部４７ａ側面に形成する凹凸部５１との係合とによって一体となる。第３に、棒状化粧料収容体６７と収容体出没機構イとは、回止筒３３の前端縁近傍の外周面に配設する係止凸部３６と芯筒６８の内周面の係止凹部７１とが形成する、離脱不能であって且つ同期して回転する（すなわち相互に個別回転不能）固定嵌合部１０６と、回止筒３３の外周面に配設するローレット３７と芯筒６８後端縁近傍の内周面に配設するローレット７０とが噛合して共回りするように形成される固定噛合部１０７とによって一体となる。第４に、棒状化粧料収容体６７と棒状化粧料突出機構ロとは、芯チャック７２の貫通孔７３周縁の係止縁部７４と、スリーブ６０の係止孔６２に嵌着されるジョイント６３の係止鈎部６６との係止により一体となるものである。【００２０】  以上のように、本願発明の実施例における棒状化粧料容器１は構成されるので、使用者は次のようにして上記棒状化粧料容器１を使用に供するものである。
まず、化粧料容器本体３内部の密閉性を保持するため該化粧料容器本体３をなす先筒４の開口部５を閉塞するように装着されているキャップ２は、引張することで該化粧料容器本体３の先筒４から脱離し、その開口部５は開口する。
次に、先筒４を持って、軸筒１３を右方向に回転させると、化粧料容器本体３内において該軸筒１３と一体となるネジ筒１８が右回転する。その結果、該ネジ筒１８のネジ溝１９に係合突起２５を遊嵌する回転筒２３は傾斜面１９ａに押勢されて前進し、最終的に該回転筒２３の係合突起２５はネジ溝１９先端の切り欠き溝２０に嵌合するものとなる。このとき、ネジ溝１９の先端はネジ筒１８の先端縁に至っていないことから、ネジ溝１９先端の切り欠き溝２０に嵌合した係合突起２５を有する回転筒２３は、それ以上前進することができなくなる。そして、該回転筒２３の前進に伴って、後端縁を鍔部２７に係止しつつ回転筒２３と一体となる回止筒３３は、その外周面に突設する係止突起３８を先筒４の内周面に刻設する案内溝９内に遊嵌しつつ前進することとなる。そして、該回止筒３３の前進に伴って、回止筒３３と一体となる芯筒６８も前進する。
又、この回転筒２３及び回止筒３３の前進に伴って、回転筒と固定嵌合部１０４により一体となるネジ軸４１と、該ネジ軸４１と雄ネジ部４２及び雌ネジ部６１により螺合して一体となるスリーブ６０と、該スリーブ６０とジョイント６３を介して一体となる芯チャック７２もそれぞれ同時に前進することとなる。その結果、棒状化粧料収容体６７が一体として先筒４の開口部５より突出して固持される。
このとき、回転筒２３の係合突起２５は、ネジ筒１８のネジ溝１９先端の円周方向に設けられた切り欠き溝２０に嵌合しているので、逆に棒状化粧料収容体６７に対して前方からの圧力が作用しても、先筒４の開口部５より突出した棒状化粧料収容体６７が、化粧料容器本体３内へ押し戻されることはない。
その上で、更に軸筒１３を右回転させると、回転筒２３の係合突起２５が、ネジ筒１８の先端縁には至っていないネジ溝１９の切り欠き溝２０に嵌合しているので、回転筒２３の係合突起２５が切り欠き溝２０における傾斜面２０ａにより押勢されるものの、ネジ溝１９自体がそれ以上存在しないことから、軸筒１３と一体となるネジ筒１８と回転筒２３とは共回りすることとなる。このとき、回転筒２３との間で相互に個別回転可能である回転嵌合部１０３によって一体となる回止筒３３は、その先端側に設けられた係止突起３８が先筒４の内周面の案内溝９に遊嵌されているので回転することはなく、回転筒２３だけが該回転嵌合部１０３の摩擦及び回止筒３３の内周面に当接するＯリング２９の摩擦に抗して回転するものとなる。
一方、この回転筒２３の回転は、相互に個別回転不能とする固定嵌合部１０４とともに、径大部２６内において回転筒２３のローレット３２とラチェット機構４６の可動カム４９のローレット５０との噛合により形成される固定噛合部１０５及び、該ラチェット機構４６の可動カム４９内周面のローレット５９とネジ軸４１のローレット４４との噛合により形成される固定噛合部１０８を介して、ネジ軸４１に伝達されるものとなる。ところで、ラチェット機構４６は、回止筒３３内に固持される固定カム４７と、回転筒２３の径大部２６内において該径大部２６との間でスプリング４８を保持する可動カム４９とから構成されているが、該固定カム４７と可動カム４９とは、固定カム４７側に設けられた、後方側から見た際の軸筒１３の回転方向に向くとともに、後方側に向けて立ち上がる斜面５３とその斜面５３に連続する垂直面５４からなるラチェット歯５２と、可動カム４９側に設けられた、前記固定カム４７側における斜面５３に密着する斜面５７と垂直面５８とからなるラチェット歯５６とが互いに噛合しているものである。しかも、可動カム４９はスプリング４８の弾撥力によって前方へ押勢されていることから、軸筒１３を右回転させることで回転筒２３を介して可動カム４９を右方向へ回転させると、該可動カム４９のラチェット歯５６の斜面５７は、回転しない回止筒３３内に固持される固定カム４７のラチェット歯５２の斜面５３によって後方へ向けて押勢されて該斜面５３を乗り越え、その乗り越えた瞬間に前記スプリング４８の弾撥力によって、次のラチェット歯５２と噛合することとなる。即ち、可動カム４９は固定カム４７に対して前後方向への移動を繰り返しながら一方方向へのみ回転（本実施例では後方側から見て右回転）できることになる。そのため、該可動カム４９の内周面のローレット５９と噛合するネジ軸４１のローレット４４により共回りするように形成される固定噛合部１０８を介して、ネジ軸４１は右方向に回転する。
その結果、ネジ軸４１の外周面に螺設される雄ネジ部４２に螺合する雌ネジ部６１を内周面に配設するスリーブ６０は前進し、更には、ジョイント６３を介して一体に連結される棒状化粧料収容体６７内の芯チャック７２が前進するので、該芯チャック７２に保持される棒状化粧料７５は棒状化粧料収容体６７をなす芯筒６８の開口部６８’より突出するものとなる。【００２１】  また、使用後には、先筒４を持って、軸筒１３を逆回転（本実施例では左回転）させると、まず回転筒２３の係合突起２５とネジ筒１８のネジ溝１９先端の切り込み溝２０との嵌合が解除される。
そしてさらに軸筒１３を逆回転させることによって、該軸筒１３と一体となるネジ筒１８のネジ溝１９が、遊嵌して一体となる回転筒２３の係合突起２５を案内しつつ回転することとなるので、回転筒２３は化粧料容器本体３内を後退する。このとき、回転筒２３と回止筒３３とは離脱不能である回転嵌合部１０３によって一体となるとともに、回止筒３３と棒状化粧料収容体６７の芯筒６８も固定嵌合部１０６によって一体となっている。又、同時に、回転筒２３と固定嵌合部１０４により一体となるネジ軸４１は、雄ネジ部４２及び雌ネジ部６１の螺合によりスリーブ６０と一体となり、更に該スリーブ６０は、ジョイント６３を介して芯チャック７２と一体となっている。その結果、前記回転筒２３の後退に伴って回止筒３３とともに、棒状化粧料収容体６７全体が化粧料容器本体３内を後退する。その結果、棒状化粧料収容体６７は迅速に化粧料容器本体３内に没入するものとなる。【００２２】  なお、この軸筒１３の逆回転（本実施例においては左回転）によって、回転筒２３の係合突起２５がネジ筒１８のネジ溝１９後端に至った後、更に軸筒１３を逆回転させようとしても、回転筒２３とネジ軸４１との間に介在するラチェット機構４６によって、その回転が防止される。すなわち、該ラチェット機構４６を構成する固定カム４７は、その凹凸部５１が回止筒３３の凹凸部３９と係合し、更にその回止筒３３はその先端側に設けられた係止突起３８が先筒４の案内溝９に遊嵌していることから、回転作動しないものである。しかし、上述のように固定カム４７のラチェット歯５２の斜面５３と、可動カム４９のラチェット歯５６の斜面５７とが対向して噛合していることから、可動カム４９が右回転する場合には、固定カム４７に対して可動カム４９がスプリング４８の圧縮、伸長を伴いながら回転しうることとなる。それに対して可動カム４９が逆回転（本実施例においては左回転）しようとする場合には、固定カム４７のラチェット歯５２の垂直面５４と可動カム４９の垂直面５８とが当接することから、固定カム４７によって規制されることとなり、可動カム４９の逆回転（本実施例においては左回転）は不能となる。その結果、軸筒１３を逆回転（本実施例においては左回転）させても、ネジ筒１８によって回転筒２３が後退することができる以上には回転筒２３を回転することができないこととなる。そのため、棒状化粧料収容体６７の芯筒６８において棒状化粧料７５を保持する芯チャック７２がネジ軸４１の逆回転によって後退することはなく、該棒状化粧料７５の芯筒６８内への没入に伴う棒状化粧料７５の破損を防止できるものである。
【産業上の利用可能性】
【００２３】  本願発明は、棒状化粧料だけでなく、棒状の糊等の接着剤の繰出容器としても適用することができる。
【図面の簡単な説明】
【００２４】
【図１】本願発明の実施例である棒状化粧料容器の正面図である。
【図２】本願発明の実施例である棒状化粧料容器の使用状態を示す正面図である。
【図３】本願発明の実施例である棒状化粧料容器の拡大横断面図である。
【図４】本願発明の実施例である棒状化粧料容器の先筒の（イ）要部拡大横断面図、（ロ）Ａ−Ａ縦断面図である。
【図５】本願発明の実施例である棒状化粧料容器のラチェット機構の分解正面図である。
【図６】本願発明の実施例である棒状化粧料容器のネジ筒のネジ溝の展開図である。
【図７】本願発明の実施例である棒状化粧料容器の要部拡大横断面図である。
【符号の説明】
【００２５】１  棒状化粧料容器
２  キャップ
３  化粧料容器本体
４  先筒
５  開口部
６  係止縁
７  係止凹部
８  後端縁
９  案内溝
１０  摩擦弾性体
１１  弾性片
１２  摩擦突起
１３  軸筒
１４  内周面
１４’  段部
１５  係止凸部
１６  係止凸部
１７  ローレット
１８  ネジ筒
１９  ネジ溝
１９ａ    傾斜面
２０  切り欠き溝
２０ａ    傾斜面
２１  係止凹部
２２  ローレット
２３  回転筒
２４  径小部
２５  係合突起
２６  径大部
２７  鍔部
２８  係止溝
２９  Ｏリング
３０  係止凸部
３１  係止凹部
３２  ローレット
３３  回止筒
３４  後端縁
３５  前端縁
３６  係止凸部
３７  ローレット
３８  係止突起
３９  凹凸部
４０  係止凹部
４１  ネジ軸
４２  雄ネジ部
４３  係止凸部
４４  ローレット
４５  係止鍔部
４６  ラチェット機構
４７  固定カム
４７ａ    基部
４８  スプリング
４９  可動カム
５０  ローレット
５１  凹凸部
５２  ラチェット歯（固定カム）
５３  斜面
５４  垂直面
５５  段部
５６  ラチェット歯（可動カム）
５７  斜面
５８  垂直面
５９  ローレット
６０  スリーブ
６１  雌ネジ部
６２  係止孔
６３  ジョイント
６４  係止部
６５  支持鍔
６６  係止鈎部
６７  棒状化粧料収容体
６８  芯筒
６８’  開口部
６９  係止周縁
７０  ローレット
７１  係止凹部
７２  芯チャック
７３  貫通孔
７４  係止縁部
７５  棒状化粧料
イ  収容体出没機構
ロ  棒状化粧料突出機構
１００  回転嵌合部
１０１  固定嵌合部
１０２  固定噛合部
１０３  回転嵌合部
１０４  固定嵌合部
１０５  固定噛合部
１０６  固定嵌合部
１０７  固定噛合部
１０８  固定噛合部
【図１】
2008212613.tif 000003
【図２】
2008212613.tif 000004
【図３】
2008212613.tif 000005
【図４】
2008212613.tif 000006
【図５】
2008212613.tif 000007
【図６】
2008212613.tif 000008
【図７】
2008212613.tif 000009